【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
第１表示手段と、
第２表示手段と、
前記第１表示手段と前記第２表示手段の表示領域を管理するモニター表示領域管理手段と、座標およびボタン押下を入力する座標入力手段と、
前記座標入力手段で入力された座標およびボタン押下状態を取得して指示カーソルの移動位置を制御するカーソル制御手段と、
前記指示カーソルを移動させる方法を管理するカーソルジャンプ管理手段と、
を有し、
前記カーソルジャンプ管理手段で管理対象となっている移動元領域において、前記指示カーソルが１回または２回以上連続して同一領域に存在した場合は、前記カーソル制御手段が所定の移動先座標にカーソルジャンプさせることを特徴とするマルチディスプレイシステム。
【請求項２】
前記カーソルジャンプは、前記第１表示手段と前記第２表示手段間を移動することを特徴とする請求項１記載のマルチディスプレイシステム。
【請求項３】
前記カーソルジャンプは、前記第１表示手段と前記第２表示手段が隣接する１辺の表示解像度が異なっている場合に実行されることを特徴とする請求項１〜２記載のマルチディスプレイシステム。
【請求項４】
前記カーソルジャンプ管理手段で管理対象となっている移動元領域は、隣接する２つの表示手段における１辺の一部を含んでいることを特徴とする請求項１〜３記載のマルチディスプレイシステム。
【請求項５】
前記カーソルジャンプの移動元領域と移動先座標の設定を行う環境設定手段とを有し、操作者がＧＵＩ（Ｇｒａｐｈｉｃａｌ  Ｕｓｅｒ  Ｉｎｔｅｒｆａｃｅ）を用いて、表示手段の装置レイアウトおよび解像度と、隣接する１辺のドットレイアウトを指定できることを特徴とする請求項１〜４記載のマルチディスプレイシステム。
【請求項６】
操作者が前記ドットレイアウトを上揃え、下揃え、中央揃え、均等配置など２つ以上の選択肢から１つ指定すると、前記カーソルジャンプ管理手段は選択されたドットレイアウトからカーソルジャンプの移動元領域と移動先座標を算出することを特徴とする請求項５記載のマルチディスプレイシステム。
【請求項７】
前記第１表示手段または前記第２表示手段の前記モニター表示領域管理手段で管理している表示領域が「表示不可能」な状態になったか一定時間ごとに検知するモニター切断検知手段を有し、前記モニター切断検知手段が各表示手段の表示状態を検査して、「表示不可能」な状態にある表示手段の表示領域上に前記指示カーソルが存在した場合に、前記カーソル制御手段が「表示可能」な状態にある表示手段の表示領域上にカーソルジャンプさせることを特徴とする請求項１〜６記載のマルチディスプレイシステム。
【請求項８】
前記第１表示手段または前記第２表示手段の前記モニター表示領域管理手段で管理している表示領域が「表示不可能」な状態になったか一定時間ごとに検知するモニター切断検知手段を有し、前記モニター切断検知手段が各表示手段の表示状態を検査して、同一の表示手段が「表示可能」な状態から「表示不可能」な状態に変化した場合に、前記カーソルジャンプ管理手段で管理しているカーソルジャンプの移動先座標が「表示不可能」な状態になった表示手段の表示領域内を指定しているときは、「表示可能」な状態にある表示手段の表示領域内に変更することを特徴とする請求項１〜７記載のマルチディスプレイシステム。
【請求項９】
前記第１表示手段または前記第２表示手段の前記モニター表示領域管理手段で管理している表示領域が「表示可能」な状態になったか一定時間ごとに検知するモニター接続検知手段とを有し、前記モニター接続検知手段が各表示手段の表示状態を検査して、同一の表示手段が「表示不可能」な状態から「表示可能」な状態に変化した場合に、前記カーソルジャンプ管理手段で管理しているカーソルジャンプの移動先座標が当該表示手段から他の表示手段の表示領域内に変更されている場合は、カーソルジャンプの移動先座標を当該表示手段の表示領域内に戻すことを特徴とする請求項１〜８記載のマルチディスプレイシステム。
【請求項１０】
第１表示手段と、
第２表示手段と、
前記第１表示手段と前記第２表示手段の表示領域を管理するモニター表示領域管理手段と、
座標およびボタン押下を入力する座標入力手段と、
前記座標入力手段で入力された座標およびボタン押下状態を取得して指示カーソルの移動位置を制御するカーソル制御手段と、
前記指示カーソルを前記第１表示手段と前記第２表示手段間で移動させる方法を管理するカーソルジャンプ管理手段と、
前記第１表示手段または前記第２表示手段の前記モニター表示領域管理手段で管理している表示領域が「表示不可能」な状態になったか一定時間ごとに検知するモニター切断検知手段と、
を有し、
前記モニター切断検知手段が各表示手段の表示状態を検査して、「表示不可能」な状態にある表示手段の表示領域上に前記指示カーソルが存在した場合に、前記カーソル制御手段が「表示可能」な状態にある表示手段の表示領域上にカーソルジャンプさせることを特徴とするマルチディスプレイシステム。
【請求項１１】
第１表示手段と、
第２表示手段と、
前記第１表示手段と前記第２表示手段の表示領域を管理するモニター表示領域管理手段と、
座標およびボタン押下を入力する座標入力手段と、
前記座標入力手段で入力された座標およびボタン押下状態を取得して指示カーソルの移動位置を制御するカーソル制御手段と、
前記指示カーソルを前記第１表示手段と前記第２表示手段間で移動させる方法を管理するカーソルジャンプ管理手段と、
前記第１表示手段または前記第２表示手段の前記モニター表示領域管理手段で管理している表示領域が「表示不可能」な状態になったか一定時間ごとに検知するモニター切断検知手段と、
を有し、
前記モニター切断検知手段が各表示手段の表示状態を検査して、同一の表示手段が「表示可能」な状態から「表示不可能」な状態に変化した場合に、前記カーソルジャンプ管理手段で管理しているカーソルジャンプの移動先座標が「表示不可能」な状態になった表示手段の表示領域内を指定しているときは、「表示可能」な状態にある表示手段の表示領域内に変更することを特徴とするマルチディスプレイシステム。
【請求項１２】
第１表示手段と、
第２表示手段と、
前記第１表示手段と前記第２表示手段の表示領域を管理するモニター表示領域管理手段と、
座標およびボタン押下を入力する座標入力手段と、
前記座標入力手段で入力された座標およびボタン押下状態を取得して指示カーソルの移動位置を制御するカーソル制御手段と、
前記指示カーソルを前記第１表示手段と前記第２表示手段間で移動させる方法を管理するカーソルジャンプ管理手段と、
前記第１表示手段または前記第２表示手段の前記モニター表示領域管理手段で管理している表示領域が「表示可能」な状態になったか一定時間ごとに検知するモニター接続検知手段と、
を有し、
前記モニター接続検知手段が各表示手段の表示状態を検査して、同一の表示手段が「表示不可能」な状態から「表示可能」な状態に変化した場合に、前記カーソルジャンプ管理手段で管理しているカーソルジャンプの移動先座標が当該表示手段から他の表示手段の表示領域内に変更されている場合は、カーソルジャンプの移動先座標を当該表示手段の表示領域内に戻すことを特徴とするマルチディスプレイシステム。
【請求項１３】
第１表示手段と、
第２表示手段とを備えたマルチディスプレイシステムのカーソル制御方法であって、
前記第１表示手段と前記第２表示手段の表示領域を管理するモニター表示領域管理手順と、
座標およびボタン押下を入力する座標入力手順と、
前記座標入力手順で入力された座標およびボタン押下状態を取得して指示カーソルの移動位置を制御するカーソル制御手順と、
前記指示カーソルを移動させる方法を管理するカーソルジャンプ管理手順と、
を有し、
前記カーソルジャンプ管理手順で管理対象となっている移動元領域において、前記指示カーソルが１回または２回以上連続して同一領域に存在した場合は、前記カーソル制御手順が所定の移動先座標にカーソルジャンプさせることを特徴とするマルチディスプレイシステムのカーソル制御方法。
【請求項１４】
前記カーソルジャンプは、前記第１表示手段と前記第２表示手段間を移動することを特徴とする請求項１３記載のマルチディスプレイシステムのカーソル制御方法。
【請求項１５】
前記カーソルジャンプは、前記第１表示手段と前記第２表示手段が隣接する１辺の表示解像度が異なっている場合に実行されることを特徴とする請求項１３〜１４記載のマルチディスプレイシステムのカーソル制御方法。
【請求項１６】
前記カーソルジャンプ管理手順で管理対象となっている移動元領域は、隣接する２つの表示手段における１辺の一部を含んでいることを特徴とする請求項１３〜１５記載のマルチディスプレイシステムのカーソル制御方法。
【請求項１７】
前記カーソルジャンプの移動元領域と移動先座標の設定を行う環境設定手順とを有し、操作者がＧＵＩ（Ｇｒａｐｈｉｃａｌ  Ｕｓｅｒ  Ｉｎｔｅｒｆａｃｅ）を用いて、表示手段の装置レイアウトおよび解像度と、隣接する１辺のドットレイアウトを指定できることを特徴とする請求項１３〜１６記載のマルチディスプレイシステムのカーソル制御方法。
【請求項１８】
操作者が前記ドットレイアウトを上揃え、下揃え、中央揃え、均等配置など２つ以上の選択肢から１つ指定すると、前記カーソルジャンプ管理手順は選択されたドットレイアウトからカーソルジャンプの移動元領域と移動先座標を算出することを特徴とする請求項１７記載のマルチディスプレイシステムのカーソル制御方法。
【請求項１９】
前記第１表示手段または前記第２表示手段が前記モニター表示領域管理手順で管理している表示領域を「表示不可能」な状態になったか一定時間ごとに検知するモニター切断検知手順を有し、前記モニター切断検知手順が各表示手段の表示状態を検査して、「表示不可能」な状態にある表示手段の表示領域上に前記指示カーソルが存在した場合に、前記カーソル制御手順が「表示可能」な状態にある表示手段の表示領域上にカーソルジャンプさせることを特徴とする請求項１３〜１８記載のマルチディスプレイシステムのカーソル制御方法。
【請求項２０】
前記第１表示手段または前記第２表示手段が前記モニター表示領域管理手順で管理している表示領域を「表示不可能」な状態になったか一定時間ごとに検知するモニター切断検知手順を有し、前記モニター切断検知手順が各表示手段の表示状態を検査して、同一の表示手段が「表示可能」な状態から「表示不可能」な状態に変化した場合に、前記カーソルジャンプ管理手順で管理しているカーソルジャンプの移動先座標が「表示不可能」な状態になった表示手段の表示領域内を指定しているときは、「表示可能」な状態にある表示手段の表示領域内に変更することを特徴とする請求項１３〜１９記載のマルチディスプレイシステムのカーソル制御方法。
【請求項２１】
前記第１表示手段または前記第２表示手段が前記モニター表示領域管理手順で管理している表示領域を「表示可能」な状態になったか一定時間ごとに検知するモニター接続検知手順を有し、前記モニター接続検知手順が各表示手段の表示状態を検査して、同一の表示手段が「表示不可能」な状態から「表示可能」な状態に変化した場合に、前記カーソルジャンプ管理手順で管理しているカーソルジャンプの移動先座標が当該表示手段から他の表示手段の表示領域内に変更されている場合は、カーソルジャンプの移動先座標を当該表示手段の表示領域内に戻すことを特徴とする請求項１３〜２０記載のマルチディスプレイシステムのカーソル制御方法。
【請求項２２】
第１表示手段と、第２表示手段とを備えたマルチディスプレイシステムのカーソル制御方法であって、
前記第１表示手段と前記第２表示手段の表示領域を管理するモニター表示領域管理手順と、
座標およびボタン押下を入力する座標入力手順と、
前記座標入力手順で入力された座標およびボタン押下状態を取得して指示カーソルの移動位置を制御するカーソル制御手順と、
前記指示カーソルを前記第１表示手段と前記第２表示手段間で移動させる方法を管理するカーソルジャンプ管理手順と、
前記第１表示手段または前記第２表示手段が前記モニター表示領域管理手順で管理している表示領域を「表示不可能」な状態になったか一定時間ごとに検知するモニター切断検知手順と、
を有し、
前記モニター切断検知手順が各表示手段の表示状態を検査して、「表示不可能」な状態にある表示手段の表示領域上に前記指示カーソルが存在した場合に、前記カーソル制御手順が「表示可能」な状態にある表示手段の表示領域上にカーソルジャンプさせることを特徴とするマルチディスプレイシステムのカーソル制御方法。
【請求項２３】
第１表示手段と、第２表示手段とを備えたマルチディスプレイシステムのカーソル制御方法であって、
前記第１表示手段と前記第２表示手段の表示領域を管理するモニター表示領域管理手順と、
座標およびボタン押下を入力する座標入力手順と、
前記座標入力手順で入力された座標およびボタン押下状態を取得して指示カーソルの移動位置を制御するカーソル制御手順と、
前記指示カーソルを前記第１表示手段と前記第２表示手段間で移動させる方法を管理するカーソルジャンプ管理手順と、
前記第１表示手段または前記第２表示手段が前記モニター表示領域管理手順で管理している表示領域を「表示不可能」な状態になったか一定時間ごとに検知するモニター切断検知手順と、
を有し、
前記モニター切断検知手順が各表示手段の表示状態を検査して、同一の表示手段が「表示可能」な状態から「表示不可能」な状態に変化した場合に、前記カーソルジャンプ管理手順で管理しているカーソルジャンプの移動先座標が「表示不可能」な状態になった表示手段の表示領域内を指定しているときは、「表示可能」な状態にある表示手段の表示領域内に変更することを特徴とするマルチディスプレイシステムのカーソル制御方法。
【請求項２４】
第１表示手段と、第２表示手段とを備えたマルチディスプレイシステムのカーソル制御方法であって、
前記第１表示手段と前記第２表示手段の表示領域を管理するモニター表示領域管理手順と、
座標およびボタン押下を入力する座標入力手順と、
前記座標入力手順で入力された座標およびボタン押下状態を取得して指示カーソルの移動位置を制御するカーソル制御手順と、
前記指示カーソルを前記第１表示手段と前記第２表示手段間で移動させる方法を管理するカーソルジャンプ管理手順と、
前記第１表示手段または前記第２表示手段が前記モニター表示領域管理手順で管理している表示領域を「表示可能」な状態になったか一定時間ごとに検知するモニター接続検知手順と、
を有し、
前記モニター接続検知手順が各表示手段の表示状態を検査して、同一の表示手段が「表示不可能」な状態から「表示可能」な状態に変化した場合に、前記カーソルジャンプ管理手順で管理しているカーソルジャンプの移動先座標が当該表示手段から他の表示手段の表示領域内に変更されている場合は、カーソルジャンプの移動先座標を当該表示手段の表示領域内に戻すことを特徴とするマルチディスプレイシステムのカーソル制御方法。